(57)【要約】      （修正有）【課題】複数のフォーカスコントロールもとからフォーカス操作が行われるシステムでフォーカスコントロールもとの切替時、フォーカス飛びが発生しない端有フォーカスデマンドを提供すること。【解決手段】電動でフォーカスレンズが操作可能な光学装置のフォーカスレンズを操作する操作部材において、操作部材は回転式の操作部と、操作部には端を有し、操作部の位置を検出する位置センサーと、操作部が端に押し付けられている場合その押し当て量を検知する押し当て検出手段と、を有し、位置センサーで検出の位置とフォーカスコントロールが１対１となる第１のコントロール作成手段と、操作部が端に達してもフォーカスコントロールを更新可能な第２のコントロール作成手段を有し、第１のコントロール作成手段または、第２のコントロール作成手段で作成のコントロールを選択決定するフォーカスコントロール決定部を有することを特徴とする。【選択図】図１
2020134783.tif 000002
【特許請求の範囲】
【請求項１】
電動でフォーカスレンズが操作可能な光学装置のフォーカスレンズを操作する操作部材において、前記操作部材は回転式の操作部と、前記操作部には端を有し、前記操作部の位置を検出する位置センサーと、前記操作部が端に押し付けられている場合その押し当て量を検知する押し当て検出手段と、を有し、前記位置センサーで検出の位置とフォーカスコントロールが１対１となる第１のコントロール作成手段と、前記操作部が端に達してもフォーカスコントロールを更新可能な第２のコントロール作成手段を有し、第１のコントロール作成手段または、第２のコントロール作成手段で作成のコントロールを選択決定するフォーカスコントロール決定部を有することを特徴とする操作部材。
【請求項２】
前記第２のコントロールは、前記光学装置のフォーカスレンズのコントロールと前記第１のコントロールが異なる場合、前記フォーカスコントロール決定部により決定されることを特徴とする請求項１に記載の操作部材。
【請求項３】
前記操作部材の前記操作部の端には端の位置が一定量変更可能な伸縮材が構成され、前記押し付け検出手段は、前記伸縮材の伸縮に応じた前記位置センサーの検出量を検出することを特徴とする請求項１又は請求項２に記載の操作部材。
【請求項４】
前記操作部材の前記第２のコントロールは、前記押し付け検出手段による検出量に対応する値を現在のコントロールに加算して作成し、前記押し付け検出手段の検出量が０の場合には、前回の前記位置センサーの検出量と今回の前記位置センサーの検出量の差分を現在のコントロールに加算することを特徴とする請求項１乃至請求項３の何れか一項に記載の操作部材。
【請求項５】
前記操作部材は、不揮発性記憶手段を有し、前記不揮発性記憶手段にはフォーカスコントロール作成データを有し、前記第１のコントロール、前記第２のコントロールは前記フォーカコントロール作成データに基づき作成されることを特徴とする請求項１乃至請求項４の何れか一項に記載の操作部材。
【請求項６】
前記操作部材は、第２のコントロールから第１のコントロールへ強制的に切り替える切替手段を有することを特徴とする請求項１乃至請求項５の何れか一項に記載の操作部材。
【請求項７】
前記第１のコントロールから、前記第２のコントロールへ切替るには、前記光学装置にタリー信号が来ていない場合のみ切替可能とすることを特徴とする請求項１乃至請求項６の何れか一項に記載の操作部材。
【請求項８】
前記操作部材は、前記光学装置に接続し、前記光学装置のフォーカスレンズを操作するフォーカスデマンドであることを特徴とする請求項１乃至請求項７の何れか一項に記載の操作部材。
【請求項９】
前記操作部材は、前記光学装置のフォーカスレンズの外側にあり、フォーカスのコントロールを作成する電子リングであることを特徴とする請求項１乃至請求項７の何れか一項に記載の操作部材。
【請求項１０】
電動でフォーカスレンズが操作可能な光学装置において、前記光学装置のフォーカスレンズを操作する操作部材は、前記操作部材は回転式の操作部と、前記操作部には端を有し、前記操作部の位置を検出する位置センサーと、前記操作部が端に押し付けられている場合その押し当て量を検知する押し当て検出手段と、を有し、前記操作部の位置センサーの信号と、前記押し当て検出手段で検出した押し当て量を前記光学装置に送信し、前記光学装置は前記操作部の位置センサー信号と押し当て量からコントロールを作成することを特徴とする光学装置。
【発明の詳細な説明】
【技術分野】
【０００１】
本発明は、レンズ装置に関し、特にレンズ操作装置に関する。
【背景技術】
【０００２】
従来、テレビカメラレンズにおけるフォーカス操作装置（以下フォーカスデマンドと呼ぶ）は、その操作部の回転位置に応じたフォーカス位置信号を出力し、テレビカメラレンズのフォーカスはこのフォーカス位置信号に従って制御される。また、フォーカスデマンド操作部の操作位置とフォーカスコントロール信号が１対１の関係となっている。
【０００３】
現在、ＨＤから４Ｋへの移行に伴い、フォーカスはカメラマンの操作するフォーカスデマンドだけで無く、ＶＥ室等から別系統のコントロール信号でフォーカスを微調することも多くなる。そこで、フォーカスデマンドのフォーカス位置信号とレンズが実際に制御しているフォーカス位置信号が一致しない場合が出てくる。この場合状態で再びフォーカスデマンドのフォーカス位置信号でレンズを操作するとフォーカスの飛びが発生する。このフォーカス飛びを発せさせない為、フォーカスデマンドのフォーカス位置信号をレンズのフォーカス位置信号に強制的に一致させる処理を行う場合がある。
【０００４】
しかしながら、この方法では、フォーカスデマンドの操作部の回転角が決まっている為、場合によってはフォーカスの全域のコントロールが出るまえにフォーカスデマンド操作部の端に達し、それ以上コントロールの変更が出来なくなる。この問題を解消するため、特徴文献１では、フォーカスデマンドで端の位置をレンズのフォーカスコントロールに合わせて変更することが考えられている。
【先行技術文献】
【特許文献】
【０００５】
【特許文献１】特開２０００−１１１７８３号公報
【発明の概要】
【発明が解決しようとする課題】
【０００６】
しかしながら、上記の特許文献１に開示された従来技術では、構成が複雑になり、またフォーカスデマンド操作部にフォーカスのコントロール位置をマーキングした場合には、マーキング位置がずれてしまい素早くマーキング位置のフォーカス位置への操作が出来なくなる。
【０００７】
そこで、本発明の目的は、複数のフォーカスコントロールもとからフォーカス操作が可能なシステムで、フォーカスコントロールもとの切替時、フォーカス飛びが発生しない端有フォーカスデマンドを提供することにある。
【課題を解決するための手段】
【０００８】
上記の目的を達成するために、本発明に係る操作部材は、
電動でフォーカスレンズが操作可能な光学装置のフォーカスレンズを操作する操作部材において、前記操作部材は回転式の操作部と、前記操作部には端を有し、前記操作部の位置を検出する位置センサーと、前記操作部が端に押し当てられている場合その押し付け量を検知する押し当て検出手段と、を有し、前記位置センサーで検出の位置とフォーカスコントロールが１対１となる第１のコントロール作成手段と、前記操作部が端に達してもフォーカスコントロールを更新可能な第２のコントロール作成手段を有し、第１のコントロール作成手段または、第２のコントロール作成手段で作成のコントロールを選択決定するフォーカスコントロール決定部を有することを特徴とする。
【発明の効果】
【０００９】
本発明に係る操作部材によれば、複数のフォーカスコントロールもとからフォーカス操作が行われるシステムでフォーカスコントロールもとの切替時、フォーカス飛びが発生しない端有フォーカスデマンドを提供することができる。
【図面の簡単な説明】
【００１０】
【図１】本フォーカスデマンドのブロック図
【図２】フォーカスコントロールを決定するフローチャート
【図３】フォーカスデマンドのノブ位置とエンコーダ―出力の関係を表す図
【図４】仮想コントロールの作成時のフローチャート
【発明を実施するための形態】
【００１１】
以下、本発明を実施するための形態について、図面を参照しながら詳細に説明する。図１は、本発明の実施形態にかかわるブロック図である。
【実施例１】
【００１２】
図１を参照して、本発明の第１の実施例による、構成について説明する。
【００１３】
フォーデマンド１００は通信部１２８を持ち、レンズ２００にある通信部２０１と通信を行う。通信内容としてはフォーカスデマンドからレンズをコントロールするフォーカスコントロール値、レンズの採用しているフォーカスのコントロール値、タリ―の状態の要求などが行われ、レンズ２００からフォーカスデマンド１００には、現在のフォーカス位置、レンズの採用しているフォーカスコントロール、タリ―のＯＮ／ＯＦＦ信号などが返信される。
【００１４】
フォーカスマンド１００には、フォーカスを操作する操作ノブ１１０があり、操作ノブ１１０は時計まわり、反時計まわりに回転し、回転角を規制するメカ端としてＮＥＡＲ端１１３、ＦＡＲ端１１４が存在する。このＮＥＡＲ端１１３にはＮＥＡＲ端ゴム１１１、ＦＡＲ端１１４にはＦＡＲ端ゴム１１２が取り付けられており、操作ノブ１１０がゴムに当たってからメカ端により動かなくなるまで一定回転範囲が確保されている。この一定回転範囲を用いて、端での押し当て量を検出することが可能となっている。詳細は別途説明する。
【００１５】
操作ノブ１１０にはエンコーダ１２０が連結されており、エンコーダ―１２０により操作ノブ１１０の回転量が検出される。検出された回転量は、カウンター部１２１で操作ノブの絶対位置と回転変化量がコントロール作成のサンプリング時間ごとに管理される。フォーカスのコントロールを作成には、通常コントロール作成部１２３と、仮想コントロール作成部１２４の２種類が存在する。通常コントロール作成部１２３は、カウンター部の管理する絶対位置によりコントロールを作成し、仮想コントロール作成部１２４はカウンター部の管理する回転変化量または端での押し当て量によりコントロールを作成する。通常コントロール作成部１２３で作成のコントロールを通常コントロール、仮想コントロール作成部１２４で作成のコントロールを仮想コントロールと以後呼ぶことにする。
【００１６】
通常コントロール作成部１２３、仮想コントロール作成部１２４にはコントロール作成時に参照するデータがあり、そのデータは不揮発性メモリであるＲＯＭ１２２に格納されている。
【００１７】
通常コントロール、仮想コントロールのどちらをフォーカスデマンド１００のコントロールにするかを決定するデマンドコントロール決定部１２７があり、ここで決定されたフォーカスコントロールが通信部１２８を通してレンズ２００に送られる。
【００１８】
次に、通信部１２８で受信したデータよりレンズの採用しているフォーカスコントロールを検出するレンズコントロール検出部１２６、タリ―ＯＮ／ＯＦＦの検出を行うタリ―ＯＮ検出部１２５がある。また、仮想コントロールがデマンドコントロール決定部１２６により決定されている状態から、通常コントロールに強制的に切り替えを可能とするスイッチとして通常コントロール切替スイッチ１２９が設けられている。
【００１９】
図２はデマンドコントロール決定部１２７がフォーカスコントロールを決定するフローチャートである。
【００２０】
Ｓ１でレンズの採用しているフォーカスコントロールを取得する。
【００２１】
Ｓ２でレンズの採用しているフォーカスコントロールが通常コントロールと一致しているか確認し、一致していた場合はＳ５で通常コントロールが採用される。Ｓ２でレンズコントロールが通常コントロールと一致していない場合、Ｓ３で通常コントロール切替スイッチがＯＮしているか、またはタリ―がＯＦＦしているかを確認する。
【００２２】
Ｓ３で通常コントロール切替スイッチがＯＮまたは、タリ―がＯＦＦしている場合はＳ５で通常コントロールが採用される。Ｓ３で通常コントロール切替スイッチがＯＦＦかつタリ―ＯＮの場合Ｓ４で仮想コントロールが採用される。
【００２３】
Ｓ５で通常コントロールが採用された後は、仮想コントロールに通常コントロール同じコントロールを設定する。
【００２４】
以上により、コントロールが決定される。
【００２５】
次に仮想コントロール作成時に用いる端での押し当て量検出について図３を用いて説明する。
【００２６】
図３は横軸が操作ノブ１１０の位置で、縦軸が操作ノブ１１０の位置に対するエンコーダ出力を表す。
【００２７】
通常コントロール作成部１２３では、図３の操作ノブ１１０の位置ａ〜ｂの範囲のエンコーダ―出力がカウンター部１２１で操作ノブ１１０の絶対位置で管理され、絶対位置に応じたフォーカスコントロールがＲＯＭ１２２に記憶されたデータを用いて決定される。操作ノブ１１０の位置ａはＮＥＡＲ端ゴム１１１に操作ノブ１１０が当たる少し前の位置、同様にｂはＦＡＲ端ゴム１１２に操作ノブ１１０が当たる少し前の位置となっている。
【００２８】
次に端での押し当て量検出は、ＮＥＡＲ端１１３側、ＦＡＲ端１１４側とも同じ検出方法である為、ＦＡＲ端１１４側でのみ説明を行う。
【００２９】
操作ノブ１１０の位置ｅがＦＡＲ端１１４でＦＡＲ端ゴム１１２が貼り付けられている。ＦＡＲ端ゴム１１２が操作ノブ１１０により押し込まれ少し縮んだ操作ノブ１１０の位置をｃとする。また、ＦＡＲ端１１４でＦＡＲ端ゴム１１２が最大に縮む位置より少し手前の操作ノブ１１０の位置をｄとする。操作ノブ１１０の位置ｃ、ｄの設定は、ＦＡＲ端ゴム１１２の押し当て始め、押し当て限界が多少変化しても押し当て検出に影響がない様にするもので、操作ノブ１１０の位置ｃからｄまでが押し当て検出範囲となる。この時のエンコーダ出力の変化量をカウンタ１２１で算出し管理する。最大の押し当て検出量は図３のエンコーダ出力軸のｘ−ｙとなる。このエンコーダ変化量により押し当て量の検出可能となる。また操作ノブ１１０の位置ｂからｃの間は押し当て量の検出は行われず、操作の部１１０をＦＡＲ端ゴム１１２に力を加えて押し当てを行っていない場合には、押し当て量は検出されることは無い。
【００３０】
以上が端での押し当て量検出についての説明であるが、この端押し当て量の検出により仮想コントロール作成部１２４では、フォーカスの全域のコントロールが出力される前に操作ノブ１１０の端に達した後もコントロールの生成が可能となる。
【００３１】
図４は仮想コントロールの作成時のフローチャートである。
【００３２】
Ｓ１０１で操作ノブ１１０の位置が図３のａ、またはｂに達していてＮＥＡＲ端またはＦＡＲ端のコントロールになっていないかを確認する。ＮＥＡＲ端またはＦＡＲ端のコントロールが出ていない場合、Ｓ１０５で操作ノブが端に押し当てられているか確認する。押し当てられていると判断した場合、Ｓ１０６で押し当て量を操作ノブの回転量に変換してコントロールを更新する。この際、押し当て量と操作ノブの回転量のデータはＲＯＭ１２１に格納されており、そのデータを用いて変換を行う。Ｓ１０５で押し当てられていないと判断した場合、コントロールの更新は行わない。
【００３３】
また、Ｓ１０１で操作ノブ１１０の位置が図３のａ、またはｂに達していない場合、Ｓ１０２でＮＥＡＲ端、またはＦＡＲ端のコントロールが出ているかを確認する。ＮＥＡＲ端、またはＦＡＲ端のコントロールが出ている場合、Ｓ１０３でＮＥＡＲ端、またはＦＡＲ端コントロールの出ている側の端の方向と逆方向に操作ノブ１１０が回転したかを確認しする。逆方向の場合には、Ｓ１０４で操作ノブの動きに合わせたエンコーダ―の変化分コントロールを更新する。Ｓ１０３でＮＥＡＲ端、またはＦＡＲ端コントロールの出ている側の端の方向への回転である場合には、ＮＥＡＲ端、またはＦＡＲ端コントロールをキープする。また、Ｓ１０２で操作ノブ１１０の位置が図３のａ、またはｂに達しておらず、ＮＥＡＲ端、またはＦＡＲ端のコントロールが出ていない場合には、Ｓ１０４で操作ノブの動きに合わせたエンコーダ―の変化分コントロールを更新する。以上により、仮想コントロールが作成される。
【００３４】
本実施例ではフォーカスデマンドがフォーカスの操作部材に当たるが、レンズのフォーカス外周に設けられているフォーカスサーボ用の電子リングに適用してもよい。
【００３５】
以上、本発明の好ましい実施形態について説明したが、本発明はこれらの実施形態に限定されず、その要旨の範囲内で種々の変形及び変更が可能である。
【符号の説明】
【００３６】
１１１  ＮＥＡＲ端ゴム、１１２  ＦＡＲ端ゴム、１２３  通常コントロール作成部、
１２４  仮想コントロール作成部、１２７  デマンドコントロール決定部、
１１２  ポテンショメータ
【図１】
2020134783.tif 000003
【図２】
2020134783.tif 000004
【図３】
2020134783.tif 000005
【図４】
2020134783.tif 000006